(57)【要約】【課題】複数の光変調装置を配置した場合、向きの異なるフレキシブル基板を、ねじることなく他のフレキシブル基板の向きと合わせ、電極面も表裏逆にさせることが可能な基板接続構造とプロジェクターを提供する。【解決手段】基板接続構造は、接続用のＦＰＣ５２１を有し、入射する光束を変調する複数の反射型光変調装置５２に対し、向きの異なるＦＰＣ５２１Ｒに接続する中継基板６００と、中継基板６００と接続する延長ＦＰＣ７００と、を備える。中継基板６００は、ＦＰＣ５２１Ｒを接続して保持する第１コネクター６２０と、延長ＦＰＣ７００を接続して保持する第２コネクター６３０と、第１コネクター６２０と第２コネクター６３０とが表裏面に設置され、第１コネクター６２０と第２コネクター６３０とを表裏面で導通させる配線が形成される中継基板本体６１０と、を備える。【選択図】図２
2011197515.tif 000002
【特許請求の範囲】
【請求項１】
所定の方向に延出するフレキシブル基板を有する複数の光変調装置と、当該光変調装置と接続される回路基板と、の基板接続構造であって、
少なくとも１の前記光変調装置から延出する一方の前記フレキシブル基板の向きと、他の前記光変調装置から延出する他方の前記フレキシブル基板の向きとが異なるように、前記光変調装置が配置され、
前記一方のフレキシブル基板に接続する中継基板と、
前記中継基板と接続する延長フレキシブル基板と、
を備えることを特徴とする基板接続構造。
【請求項２】
請求項１に記載の基板接続構造であって、
前記中継基板は、
前記一方のフレキシブル基板を接続して保持する第１コネクターと、
前記延長フレキシブル基板を接続して保持する第２コネクターと、
前記第１コネクターと前記第２コネクターとを導通させる配線が形成される中継基板本体と、を備え、
前記中継基板本体の一方の面に前記第１コネクターが設置され、前記中継基板本体の他方の面に前記第２コネクターが設置されることを特徴とする基板接続構造。
【請求項３】
請求項１または請求項２に記載の基板接続構造であって、
前記中継基板本体は、リジッド基板で形成されていることを特徴とする基板接続構造。
【請求項４】
請求項１〜請求項３のいずれか一項に記載の基板接続構造であって、
前記回路基板は、前記延長フレキシブル基板および前記他方のフレキシブル基板とそれぞれ接続する複数の第３コネクターを備え、
前記第３コネクターは、前記回路基板の同一面に設置されていることを特徴とする基板接続構造。
【請求項５】
請求項１〜請求項４のいずれか一項に記載の基板接続構造と、
前記光変調装置から射出された光学像を合成して射出する色合成光学装置と、を備えることを特徴とするプロジェクター。
【発明の詳細な説明】
【技術分野】
【０００１】
本発明は、基板接続構造と、当該基板接続構造を備えたプロジェクターに関する。
【背景技術】
【０００２】
従来、光源から射出された光束を３つの色光に分離し、分離された色光毎に光変調装置で変調し、各光変調装置から射出された光学像を色合成光学装置で合成し、合成された光学像を画像光として投写するプロジェクターが知られている。また、光変調装置は、フレキシブル基板を有し、当該光変調装置を駆動するための駆動回路基板と接続されている。
【０００３】
ここで、色合成光学装置に対して３つの光変調装置を配置した場合、配置する位置の違いにより、例えば１つの光変調装置の有するフレキシブル基板の向きが、他の２つの光変調装置の有するフレキシブル基板の向きに対して逆方向となる場合がある。そして、この向きの異なるフレキシブル基板を、他のフレキシブル基板の向きと合わせ、且つ電極面を表裏逆にする必要がある場合がある。このような場合、フレキシブル基板を折り曲げることで向きを合わせ、加えて１８０度ねじることで、電極面を表裏逆にしている。なお、特許文献１では、フレキシブル基板をねじって接続することが開示されている。
【先行技術文献】
【特許文献】
【０００４】
【特許文献１】特開２００７−８３７０７号公報
【発明の概要】
【発明が解決しようとする課題】
【０００５】
しかし、向きの異なるフレキシブル基板を、折り曲げてねじることにより、他のフレキシブル基板の向きと合わせ、且つ電極面を表裏逆にした場合、フレキシブル基板にねじれ方向の応力が加わり、フレキシブル基板が破断（詳細には、フレキシブル基板に形成された配線が破断）するという課題があった。
従って、複数の光変調装置を配置した場合、向きの異なるフレキシブル基板を、ねじることなく他のフレキシブル基板の向きと合わせ、電極面も表裏逆にさせることが可能な基板接続構造とプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る基板接続構造は、所定の方向に延出するフレキシブル基板を有する複数の光変調装置と、光変調装置と接続される回路基板と、の基板接続構造であって、少なくとも１の光変調装置から延出する一方のフレキシブル基板の向きと、他の光変調装置から延出する他方のフレキシブル基板の向きとが異なるように、光変調装置が配置され、一方のフレキシブル基板に接続する中継基板と、中継基板と接続する延長フレキシブル基板と、を備えることを特徴とする。
【０００８】
このような基板接続構造によれば、向きの異なる一方のフレキシブル基板を、例えば略Ｕ字状に曲折することで、他のフレキシブル基板の向きと合わせることができる。そして、一方のフレキシブル基板を略Ｕ字状に曲折することで、一方のフレキシブル基板の長さが、他方のフレキシブル基板の長さに比べて短くなることに対し、一方のフレキシブル基板を中継基板及び延長フレキシブル基板と接続することにより、短くなった長さを補正することができ、他のフレキシブル基板の長さと同等にすることができる。
【０００９】
（適用例２）上記適用例に係る基板接続構造において、中継基板は、一方のフレキシブル基板を接続して保持する第１コネクターと、延長フレキシブル基板を接続して保持する第２コネクターと、第１コネクターと第２コネクターとを導通させる配線が形成される中継基板本体と、を備え、中継基板本体の一方の面に第１コネクターが設置され、中継基板本体の他方の面に第２コネクターが設置されることが好ましい。
【００１０】
このような基板接続構造によれば、フレキシブル基板を曲折した際に電極面が表裏逆になった場合にも、中継基板により、電極面の向きを曲折する前の向き（他のフレキシブル基板の電極面の向き）に合わせることができる。従って、フレキシブル基板をねじる必要がなくなり、ねじれによる応力で破断（詳細には、フレキシブル基板に形成された配線が破断）することを防止できる。また、第１コネクターと第２コネクターとを、接点構造が同一となるコネクターとすることができるため、接点構造が異なるコネクターを用いた場合に比較して組み立て工程における設置間違いを防止できる。
【００１１】
（適用例３）上記適用例に係る基板接続構造において、中継基板本体は、リジッド基板で形成されていることが好ましい。
【００１２】
このような基板接続構造によれば、中継基板本体がリジッド基板で形成されることにより、フレキシブル基板で形成される場合に比較して剛性を有するため、例えば第１コネクター及び第２コネクターを中継基板本体の面上に設置（例えば表面実装）しても、中継基板本体との不具合（剥がれ等）が発生し難くなり、接続の作業性を向上させると共に、良好な接続状態を維持することができる。
【００１３】
（適用例４）上記適用例に係る基板接続構造において、回路基板は、延長フレキシブル基板および他方のフレキシブル基板とそれぞれ接続する複数の第３コネクターを備え、第３コネクターは、回路基板の同一面に設置されていることが好ましい。
【００１４】
このような基板接続構造によれば、複数の第３コネクターが回路基板の同一面に設置され、延長フレキシブル基板と接続すると共に、他の光変調装置の有するフレキシブル基板にそれぞれ接続する。これにより、第３コネクターが同一面に設置されない場合に比較して、効率的に、複数のフレキシブル基板を対応する第３コネクターに接続することができる。
【００１５】
（適用例５）本適用例に係るプロジェクターは、上述したいずれかの基板接続構造と、光変調装置から射出された光学像を合成して射出する色合成光学装置と、を備えることを特徴とする。
【００１６】
このようなプロジェクターによれば、上述した基板接続構造を備えることにより、複数の光変調装置を配置した場合、一方のフレキシブル基板の向きが他方のフレキシブル基板の向きと異なっていても、上述した基板接続構造を備えることにより、接続の作業性を向上させると共に、良好な接続状態を維持でき、安定した投写を行うことができる。
【図面の簡単な説明】
【００１７】
【図１】本実施形態に係るプロジェクターの概構成を模式的に示す図。
【図２】基板接続構造を構成する部材を示す分解斜視図。
【図３】基板接続構造を構成する部材の断面を模式的に示す図。
【図４】駆動回路基板に反射型光変調装置のフレキシブル基板を接続した状態を示す概斜視図。
【図５】変形例に係るプロジェクターの概構成を模式的に示す図。
【発明を実施するための形態】
【００１８】
以下、実施形態を図面に基づいて説明する。
（実施形態）
【００１９】
図１は、本実施形態に係るプロジェクター１の概構成を模式的に示す図である。
本実施形態のプロジェクター１は、外装を構成する外装筐体２と投写光学装置としての投写レンズ３と、光学ユニット４等を備えている。光学ユニット４は、赤色（Ｒ）光、緑色（Ｇ）光、青色（Ｂ）光のそれぞれに対応した３つの反射型光変調装置５２（５２Ｒ，５２Ｇ，５２Ｂ）を備えている。プロジェクター１は、光源装置１００から射出された光束を各反射型光変調装置５２Ｒ，５２Ｇ，５２Ｂで画像信号に基づいて変調して生成した光学像を、色合成光学装置４００で合成し、合成された画像光をスクリーンＳＣ等に拡大投写する。
【００２０】
プロジェクター１の外装筐体２内部には、具体的な図示は省略するが、各構成部材を冷却する冷却ファン等を備えた冷却ユニットや、各構成部材に電力を供給する電源ユニットや、各構成部材を制御する制御装置等が収容されている。
【００２１】
プロジェクター１の光学ユニット４は、光源装置１００と、照明光学装置２００と、色分離光学装置３００と、平行化レンズ３５０と、位相差板３６０と、光学装置５と、色合成光学装置４００と、これら各部材を内部に収容する光学部品用筐体４１を備える。
【００２２】
光源装置１００は、光源ランプ１１１及びリフレクター１１２等を備える。光源ランプ１１１から射出された放射状の光束は、リフレクター１１２で反射されて略平行光束となり、照明光学装置２００へ射出される。なお、本実施形態では、光源ランプ１１１として、超高圧水銀ランプ等の放電式ランプを採用している。
【００２３】
照明光学装置２００は、第１レンズアレイ２１０と、第２レンズアレイ２２０と、偏光変換素子２４０と、重畳レンズ２５０とを有している。
第１レンズアレイ２１０及び第２レンズアレイ２２０は、小レンズをマトリックス状に配列して形成されている。光源装置１００から射出された光束は、第１レンズアレイ２１０によって複数の微小な部分光束に分割され、各部分光束は、第２レンズアレイ２２０及び重畳レンズ２５０によって照明対象である３つの反射型光変調装置５２（５２Ｒ，５２Ｇ，５２Ｂ）の表面で重畳される。
【００２４】
偏光変換素子２４０は、ランダム偏光の光束を一方向の偏光光に揃える機能を有している。そして、偏光変換素子２４０は、本実施形態では、色分離光学装置３００での光束の損失が少ないＳ偏光光に揃えている。
【００２５】
色分離光学装置３００は、照明光学装置２００から射出された光束Ｌｓ（Ｓ偏光光）を、Ｒ光、Ｇ光、Ｂ光の３つの色光に分離する機能を有している。そして、色分離光学装置３００は、Ｂ光反射ダイクロイックミラー３１０、ＲＧ光反射ダイクロイックミラー３２０、Ｇ光反射ダイクロイックミラー３３０、及び反射ミラー３４０，３４５を備えている。
【００２６】
照明光学装置２００から射出された光束のうち、Ｂ光成分は、Ｂ光反射ダイクロイックミラー３１０によって反射され、更に反射ミラー３４０によって反射されて平行化レンズ３５０Ｂに至る。一方、照明光学装置２００から射出された光束のうち、Ｒ光、Ｇ光成分は、ＲＧ光反射ダイクロイックミラー３２０によって反射され、更に反射ミラー３４５によって反射されてＧ光反射ダイクロイックミラー３３０に至る。その中のＧ光成分は、Ｇ光反射ダイクロイックミラー３３０で反射されて平行化レンズ３５０Ｇに至り、Ｒ光成分は、Ｇ光反射ダイクロイックミラー３３０を透過して、平行化レンズ３５０Ｒに至る。
【００２７】
平行化レンズ３５０Ｒ，３５０Ｇ，３５０Ｂは、照明光学装置２００から射出された複数の部分光束を略平行な光束に変換し、対応する反射型光変調装置５２Ｒ，５２Ｇ，５２Ｂを照明する。位相差板３６０Ｒ，３６０Ｇ，３６０Ｂは、λ／２板であり、平行化レンズ３５０Ｒ，３５０Ｇ，３５０Ｂを透過したそれぞれの色光（Ｓ偏光光）をＰ偏光光に変換する。
【００２８】
光学装置５は、３つのワイヤーグリッド型の偏光分離素子５１と、３つの反射型光変調装置５２と、３つの偏光板５３と、色合成光学装置４００としてのクロスダイクロイックプリズム４１０とを備える。なお、３つのワイヤーグリッド型の偏光分離素子５１において、Ｒ光用の偏光変換素子を５１Ｒ、Ｇ光用の偏光変換素子を５１Ｇ、Ｂ光用の偏光変換素子を５１Ｂとしている。反射型光変調装置５２及び偏光板５３についても同様である。
【００２９】
偏光分離素子５１は、ワイヤーグリッド型で構成されており、ガラス基板（図示省略）の表面にアルミニウムのリブ（図示省略）を、例えば、線幅数十ｎｍ、ピッチ百数十ｎｍで形成されている。そして、アルミニウムのリブに垂直な偏光成分（本実施形態ではＰ偏光光）は透過し、平行な偏光成分（本実施形態ではＳ偏光光）は反射する機能を有している。
【００３０】
偏光分離素子５１Ｇは、入射する色光の光軸に対して略４５°傾斜して設置されている。偏光分離素子５１Ｇは、位相差板３６０Ｇから射出されたＧ光（Ｐ偏光光）を透過して反射型光変調装置５２Ｇに射出する。そして、偏光分離素子５１Ｇは、反射型光変調装置５２Ｇで変調されて反射したＧ光のうち、Ｓ偏光光を反射して偏光板５３Ｇに光学像として射出する。偏光板５３Ｇを透過したＳ偏光光は、λ／２板である位相差板５４によってＰ偏光光に変換される。なお、偏光分離素子５１Ｇは、Ｓ偏光光を透過してＰ偏光光を反射する構成としてもよいが、本実施形態のように、Ｐ偏光光を透過してＳ偏光光を反射する構成の方が光の損失が少ない。
【００３１】
偏光分離素子５１Ｒ，５１Ｂも偏光分離素子５１Ｇと同様に形成され、同様の機能を有している。そして、偏光分離素子５１Ｒ，５１Ｂは、位相差板３６０Ｒ，３６０Ｂから射出されたＲ光（Ｐ偏光光）、Ｂ光（Ｐ偏光光）を透過して反射型光変調装置５２Ｒ，５２Ｂにそれぞれ射出し、反射型光変調装置５２Ｒ，５２Ｂで変調されて反射したＲ光、Ｂ光のうち、Ｓ偏光光を反射して偏光板５３Ｒ，５３Ｂにそれぞれ光学像として射出する。なお、Ｂ光およびＲ光については、Ｐ偏光光への偏光変換を行わない。
【００３２】
反射型光変調装置５２Ｒ，５２Ｇ，５２Ｂは、対向する基板間に液晶層が挟持された構造を有しており、一方の基板には、スイッチング素子が接続された反射画素電極がマトリックス状に設けられ、他方の基板（透明基板）には、対向電極が形成されている。そして、反射型光変調装置５２Ｒ，５２Ｇ，５２Ｂは、反射画素電極と対向電極との間に電圧が印加されることにより液晶層が駆動され、偏光分離素子５１Ｒ，５１Ｇ，５１Ｂをそれぞれ透過したＲ光、Ｇ光、Ｂ光を、印加された電圧（画像信号）に基づいて変調する。
【００３３】
３つの偏光板５３は、各反射型光変調装置５２で変調されて各偏光分離素子５１で反射された偏光光の偏光方向と略同一の偏光方向を有する偏光光を透過させる。偏光分離素子５１及び偏光板５３の双方を用いることにより、所望の直線偏光光以外の偏光成分が偏光分離素子５１で反射された場合であっても、偏光板５３で前記偏光成分を除去する構成を採用している。なお、各偏光板５３（５３Ｒ，５３Ｇ，５３Ｂ）を透過した変調光は、クロスダイクロイックプリズム４１０の対応する入射面４１０Ｒ，４１０Ｇ，４１０Ｂに入射する。
【００３４】
クロスダイクロイックプリズム４１０は、三角柱状の４つのプリズムを貼り合わせることにより、略正方形断面の角柱状に形成されており、Ｘ字状の貼合わせ面に沿って誘電体多層膜４１５，４１６が設けられている。誘電体多層膜４１５は、Ｇ光を透過してＲ光を反射し、誘電体多層膜４１６は、Ｇ光を透過してＢ光を反射する。この動作により、クロスダイクロイックプリズム４１０は、入射面４１０Ｒ，４１０Ｇ，４１０Ｂから入射した変調光（光学像）を合成し、カラー画像を表す画像光を形成し、射出面４１１から投写レンズ３に射出する。投写光学装置としての投写レンズ３は、クロスダイクロイックプリズム４１０の射出面４１１から射出された画像光をスクリーンＳＣ等に拡大投写する。
【００３５】
図２は、基板接続構造を構成する部材を示す分解斜視図である。図３は、基板接続構造を構成する部材の断面を模式的に示す図である。図４は、駆動回路基板８００に反射型光変調装置５２のフレキシブル基板（ＦＰＣ５２１）を接続した状態を示す概斜視図である。なお、図２は、光学装置５の斜視図であり、反射型光変調装置５２Ｒ，５２Ｇ，５２Ｂがクロスダイクロイックプリズム４１０の所定の周囲に配置されている。また、図２は、光学装置５を構成する偏光分離素子５１Ｒ，５１Ｇ，５１Ｂ及び偏光板５３Ｒ，５３Ｇ，５３Ｂ等の図示を省略している。
【００３６】
図２に示すように、３つの反射型光変調装置５２は、装置本体としての反射型液晶パネル５２０と、フレキシブル基板としてのＦＰＣ５２１と、保持枠５２５とで構成されている。ＦＰＣ５２１は、上述した制御装置を構成する駆動回路基板８００と反射型液晶パネル５２０とを電気的に接続する。ＦＰＣ５２１は、略Ｌ字状に屈曲した形状を有する。ＦＰＣ５２１の一端側は、反射型液晶パネル５２０の平面視矩形状の長辺に相当する端部近傍に形成される接続用端子部（図示省略）に固着され、電気的に接続されている。他端側は、駆動回路基板８００と電気的に接続（図４参照）される。
【００３７】
図２に示すように、色分離光学装置３００内に形成される各色光の光路を考慮して反射型光変調装置５２Ｒ，５２Ｇ，５２Ｂをクロスダイクロイックプリズム４１０の所定の周囲に配置した場合、Ｒ光用の反射型光変調装置５２ＲのＦＰＣ５２１Ｒの向きが、Ｇ光用、Ｂ光用の反射型光変調装置５２Ｇ，５２ＢのＦＰＣ５２１Ｇ，５２１Ｂの向きと異なった配置となる。詳細には、本実施形態では、１８０度、向きが異なる配置となる。本実施形態では、このＦＰＣ５２１Ｒに対して基板接続構造を適用している。
【００３８】
本実施形態の基板接続構造は、中継基板６００と、延長フレキシブル基板としての延長ＦＰＣ７００とを有している。中継基板６００は、ＦＰＣ５２１Ｒと接続し、また、延長ＦＰＣ７００と接続する。また、本実施形態の基板接続構造は、駆動回路基板８００を有している。そして、延長ＦＰＣ７００は、駆動回路基板８００と接続する。
【００３９】
この基板接続構造は、ＦＰＣ５２１ＲをＵ字状に曲折（図２に矢印Ａで示す）し、ＦＰＣ５２１Ｒの向きをＦＰＣ５２１Ｇ，５２１Ｂの向きに合わせるものである。また、基板接続構造は、ＦＰＣ５２１ＲをＵ字状に曲折した際に、接続端子部５２２Ｒの電極面５２３Ｒの向きが表裏逆となる（図２参照）が、この電極面５２３Ｒの向きも、ＦＰＣ５２１Ｇ，５２１Ｂの接続端子部５２２Ｇ，５２２Ｂの電極面５２３Ｇ，５２３Ｂの向きに合わせる（本実施形態では、クロスダイクロイックプリズム４１０を中心に外側に向かせる）ものである。図２では、接続端子部５２２Ｒ，５２２Ｇ，５２２Ｂの電極面５２３Ｒ，５２３Ｇ，５２３Ｂを、説明の便宜上、模式的に図示しているため、電極数や形状等は実際と異なる。
【００４０】
図２〜図４に示すように、中継基板６００は、ＦＰＣ５２１Ｒと延長ＦＰＣ７００とを接続（中継）する基板である。また、中継基板６００は、ＦＰＣ５２１ＲをＵ字状に曲折した際の長さを補正する基板である。また、中継基板６００は、ＦＰＣ５２１Ｒの接続端子部５２２Ｒの電極面５２３Ｒを表裏逆にする（他の接続端子部５２２Ｇ，５２２Ｂの電極面５２３Ｇ，５２３Ｂの向きに合わせる）ための基板である。
【００４１】
中継基板６００は、平面視矩形状をなすリジッド基板で形成されている。中継基板６００は、中継基板本体６１０と、第１コネクター６２０と、第２コネクター６３０とを有して構成される。なお、第１コネクター６２０と第２コネクター６３０は、機械的仕様が同一のものを用いている。第１コネクター６２０と第２コネクター６３０は、それぞれ図３に示すように、中継基板本体６１０と対向する側に接点部６２１，６３１が構成されている。
【００４２】
図２、図３に示すように、第１コネクター６２０は、中継基板本体６１０の一方の端部の裏面６１２に設置（表面実装）される。そして、第１コネクター６２０は、Ｕ字状に曲折されたＦＰＣ５２１Ｒの接続端子部５２２Ｒが挿入されることにより、電極面５２３Ｒと接点部６２１が接続（導通）して接続端子部５２２Ｒを保持する。
【００４３】
第２コネクター６３０は、中継基板本体６１０の他方の端部の表面６１１に設置（表面実装）される。そして、第２コネクター６３０は、後述する延長ＦＰＣ７００の接続端子部７１０が挿入されることにより、電極面７１１と接点部６３１が接続（導通）して接続端子部７１０を保持する。なお、中継基板本体６１０は、第１コネクター６２０と第２コネクター６３０とを接続（導通）する配線が裏面６１２から表面６１１に導通させて形成される。
【００４４】
延長ＦＰＣ７００は、中継基板６００と駆動回路基板８００とを接続する基板である。延長ＦＰＣ７００は、中継基板６００によりＦＰＣ５２１Ｒの接続端子部５２２Ｒの電極面５２３Ｒを表裏逆にした状態を維持して駆動回路基板８００に接続する基板である。延長ＦＰＣ７００は、平面視矩形状をなすフレキシブル基板で形成されている。延長ＦＰＣ７００は、一方の端部に接続端子部７１０と、他方の端部に接続端子部７２０を有して形成される。そして、延長ＦＰＣ７００は、一方の接続端子部７１０が上述した中継基板６００の第２コネクター６３０に挿入されて接続保持される。また、延長ＦＰＣ７００は、他方の接続端子部７２０が駆動回路基板８００の第３コネクター８２０Ｒに挿入されて接続保持される。
【００４５】
駆動回路基板８００は、反射型光変調装置５２（反射型液晶パネル５２０）を駆動する基板であり、ＦＰＣ５２１を介して反射型液晶パネル５２０に電圧（画像信号等）を印加（出力）する。なお、電圧（画像信号）を印加（入力）された反射型液晶パネル５２０は、液晶の配向状態が制御され、入射した光束の偏光方向を変調して反射する。
【００４６】
駆動回路基板８００は、リジッド基板で形成されている。駆動回路基板８００は、駆動回路基板本体８１０と、３つの第３コネクター８２０（８２０Ｒ，８２０Ｇ，８２０Ｂ）とを有して構成される。なお、第３コネクター８２０は、中継基板６００を構成する第１コネクター６２０及び第２コネクター６３０と機械的仕様が同一のものを用いている。従って、第３コネクター８２０は、図３に示すように、駆動回路基板本体８１０の一方の面８１１と対向する側に接点部８２１が構成される。
【００４７】
３つの第３コネクター８２０は、図４に示すように、駆動回路基板本体８１０の一方の面８１１上で、それぞれ所定の部位に設置（表面実装）される。また、駆動回路基板本体８１０には、第３コネクター８２０Ｒに対応させて切欠部８１５が形成され、第３コネクター８２０Ｇに対応させて貫通孔８１６が形成され、第３コネクター８２０Ｂに対応させて切欠部８１７が形成されている。
【００４８】
なお、光学装置５は、図４に示すように、駆動回路基板８００の他方の面８１２側に配置される。そして、反射型光変調装置５２のＦＰＣ５２１の接続端子部５２２（但し、ＦＰＣ５２１Ｒにおいては延長ＦＰＣ７００の接続端子部７２０）は、駆動回路基板８００の他方の面８１２側から延ばされて一方の面８１１に設置される第３コネクター８２０と接続される。
【００４９】
詳細には、ＦＰＣ５２１Ｒは、上述したように延長ＦＰＣ７００の接続端子部７２０が切欠部８１５を経由して第３コネクター８２０Ｒに挿入され接続される。このとき、接続端子部７２０の電極面７２１は第３コネクター８２０Ｒの接点部８２１と接続（導通）する。また、ＦＰＣ５２１Ｇは、貫通孔８１６を挿通して第３コネクター８２０Ｇに挿入され接続される。このとき、ＦＰＣ５２１Ｇの接続端子部５２２Ｇの電極面５２３Ｇは、第３コネクター８２０Ｇの接点部８２１と接続（導通）する。また、ＦＰＣ５２１Ｂは、切欠部８１７を経由して第３コネクター８２０Ｂに挿入され接続される。このとき、ＦＰＣ５２１Ｂの接続端子部５２２Ｂの電極面５２３Ｂは、第３コネクター８２０Ｂの接点部８２１と接続（導通）する。
【００５０】
上述した実施形態によれば、以下の効果が得られる。
本実施形態の基板接続構造は、向きの異なるＦＰＣ５２１Ｒを、略Ｕ字状に曲折することで、ＦＰＣ５２１Ｇ，５２１Ｂの向きと合わせることができる。そして、ＦＰＣ５２１Ｒを略Ｕ字状に曲折することで、ＦＰＣ５２１Ｒの長さが、ＦＰＣ５２１Ｇ，５２１Ｂの長さに比べて短くなることに対し、ＦＰＣ５２１Ｒを中継基板６００及び延長ＦＰＣ７００と接続することにより、短くなった長さを補正し、ＦＰＣ５２１Ｇ，５２１Ｂの長さと同等にすることができる。また、第３コネクター８２０への接続を効率的に行うことができる。
【００５１】
本実施形態の基板接続構造において、ＦＰＣ５２１Ｒを曲折した際に接続端子部５２２Ｒの電極面５２３Ｒが表裏逆になった場合にも、中継基板６００により、電極面５２３Ｒの向きを、ＦＰＣ５２１Ｇ，５２１Ｂの接続端子部５２２Ｇ，５２２Ｂの電極面５２３Ｇ，５２３Ｂの向きに合わせる（本実施形態では、クロスダイクロイックプリズム４１０を中心に外側に向かせる）ことができる。従って、ＦＰＣ５２１Ｒをねじる必要がなく、ねじれによる応力で破断（詳細には、ＦＰＣ５２１Ｒに形成された配線が破断）することを防止できる。
【００５２】
本実施形態の基板接続構造において、第１コネクター６２０と第２コネクター６３０とを、接点構造が同一となるコネクターとすることができ、接点構造が異なるコネクターを用いた場合に比較して、中継基板６００の組み立て工程における設置の間違いを防止できる。
【００５３】
本実施形態の基板接続構造において、３つの第３コネクター８２０が駆動回路基板本体８１０の同一の面となる面８１１に設置されることにより、同一面に設置されない場合に比較して、効率的に、３つのＦＰＣ５２１（但し、ＦＰＣ５２１Ｒにおいては延長ＦＰＣ７００）をそれぞれ対応する第３コネクター８２０（８２０Ｒ，８２０Ｇ，８２０Ｂ）に接続することができる。
【００５４】
本実施形態の基板接続構造において、第１コネクター６２０、第２コネクター６３０、及び第３コネクター８２０は、接点構造が同一となるコネクターとすることができ、接点構造が異なるコネクターを用いた場合に比較して組み立て工程における設置の間違いを防止できる。また、コネクターを共通にできることで、コネクターのコスト低減を図ることができる。
【００５５】
本実施形態の基板接続構造において、中継基板本体６１０がリジッド基板で形成されることにより、フレキシブル基板で形成される場合に比較して剛性を有するため、第１コネクター６２０及び第２コネクター６３０を中継基板本体６１０の面上に設置（表面実装）しても、中継基板本体６１０との不具合（剥がれ等）が発生し難くなり、接続の作業性を向上させると共に、良好な接続状態を維持することができる。
【００５６】
本実施形態の基板接続構造によれば、３つの反射型光変調装置５２（５２Ｒ，５２Ｇ，５２Ｂ）は、共通の構成のものを使用することができる。従って、２つの反射型光変調装置５２Ｇ，５２ＢのＦＰＣ５２１Ｇ，５２１Ｂの向きに、反射型光変調装置５２ＲのＦＰＣ５２１Ｒの向きを合わせるために、反射型光変調装置５２ＲのＦＰＣ５２１Ｒの向きを他の２つと異ならせて製造する必要がなくなり、反射型光変調装置５２の製造コストの低減を図ることができる。
【００５７】
本実施形態のプロジェクター１によれば、３つの反射型光変調装置５２（５２Ｒ，５２Ｇ，５２Ｂ）をクロスダイクロイックプリズム４１０の周囲に配置した場合、ＦＰＣ５２１Ｒの向きが他のＦＰＣ５２１Ｇ，５２１Ｂの向きと異なっていても、上述した基板接続構造を備えることにより、接続の作業性を向上させると共に、良好な電気的接続状態を維持でき、安定した投写を行うことができる。
【００５８】
なお、上述した実施形態に限定されず、その要旨を逸脱しない範囲において種々の変更や改良等を加えて実施することが可能である。変形例を以下に述べる。
【００５９】
（変形例１）前記実施形態の基板接続構造において、光学装置５は、反射型光変調装置５２を採用している。しかし、これに限られず、透過型の光変調装置を採用してもよい。また、上述した基板接続構造を適用可能な光変調素子は、反射型あるいは透過型の液晶パネルに限定されるものではなく、例えば、デジタルマイクロミラーデバイス等他の方式の光変調装置にも適用することができる。
【００６０】
（変形例２）前記実施形態の基板接続構造は、Ｒ光用の反射型光変調装置５２ＲのＦＰＣ５２１Ｒに対して適用しているが、これに限られず、Ｇ光用、Ｂ光用の反射型光変調装置５２Ｇ，５２ＢのＦＰＣ５２１Ｇ，５２１Ｂにも適用することができる。
【００６１】
（変形例３）前記実施形態の基板接続構造において、光学装置５は、Ｒ光、Ｇ光、及びＢ光に対応する３つの反射型光変調装置５２Ｒ，５２Ｇ，５２Ｂを用いるいわゆる３板方式を採用している。しかし、これに限られず、コントラストを向上させるための光変調装置を追加して採用してもよい。また、このコントラスト向上用の光変調装置のフレキシブル基板に本実施形態の基板接続構造を採用してもよい。
【００６２】
（変形例４）前記実施形態の光学ユニット４において、光源装置１００から射出された光束の照度を均一化する照明光学装置２００として、第１レンズアレイ２１０、第２レンズアレイ２２０からなるレンズインテグレーター光学系を採用しているが、これに限定されるものではなく、導光ロッドからなるロッドインテグレーター光学系も採用することができる。
【００６３】
（変形例５）前記実施形態の光学ユニット４において、光源装置１００の光源ランプ１１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【００６４】
（変形例６）前記実施形態において、Ｓ偏光光である光束Ｌｓを射出する偏光変換素子２４０を備えた照明光学装置２００の構成を例示したが、図５に示すように、照明光学装置２００を、偏光方向をＰ偏光光に揃えた光束Ｌｐを射出する偏光変換素子２４１を備える構成としてもよい。この場合、色分離光学装置３００を構成する平行化レンズ３５０の射出側に位相差板３６０を設ける必要がない。
【符号の説明】
【００６５】
１…プロジェクター、５…光学装置、５２…反射型光変調装置、５２０…反射型液晶パネル、５２１…ＦＰＣ、５２２…接続端子部、５２３…電極面、６００…中継基板、６１０…中継基板本体、６２０…第１コネクター、６３０…第２コネクター、７００…延長ＦＰＣ、８００…駆動回路基板、８１０…駆動回路基板本体、８２０…第３コネクター。
【図１】
2011197515.tif 000003
【図２】
2011197515.tif 000004
【図３】
2011197515.tif 000005
【図４】
2011197515.tif 000006
【図５】
2011197515.tif 000007